(57)【特許請求の範囲】
【請求項１】
左右一対のレンズのいずれか一方のレンズに対して曇化処理を施すとともに、当該一方のレンズの中央寄り部分の曇化率をその周囲部分よりも高くすることで瞳孔位置を基準とした当該一方のレンズの中央寄り部分とその周囲部分との間における視感透過度の均質化を図るようにしたことを特徴とする複視又は弱視患者のための医療用眼鏡。
【請求項２】
前記レンズの中央寄り部分とその周囲部分との境界領域は曇化率の変化が連続的であることを特徴とする請求項１に記載の複視又は弱視患者のための医療用眼鏡。
【請求項３】
前記レンズの周囲部分はレンズの中央寄り部分から離間するほど曇化率が低下することを特徴とする請求項１又は２に記載の複視又は弱視患者のための医療用眼鏡。
【請求項４】
前記一方のレンズに対する曇化処理は前記レンズの表裏少なくともいずれか一方の面への粗面処理であることを特徴とする請求項１〜３のいずれかに記載の複視又は弱視患者のための医療用眼鏡。
【請求項５】
前記粗面処理を行った前記一方のレンズの表裏少なくともいずれか一方の面に対してコート層を形成したことを特徴とする請求項４に記載の複視又は弱視患者のための医療用眼鏡。
【請求項６】
前記左右一対のレンズは着色されていることを特徴とする請求項１〜５のいずれかに記載の複視又は弱視患者のための医療用眼鏡。
【請求項７】
前記左右一対のレンズの物体側を向いた表面にはミラーコート層が形成されていることを特徴とする請求項１〜６のいずれかに記載の複視又は弱視患者のための医療用眼鏡。
【発明の詳細な説明】
【技術分野】
【０００１】
本発明は複視又は弱視を治療するために使用する複視又は弱視患者のための医療用眼鏡に関するものである。
【背景技術】
【０００２】
従来から弱視や複視の患者の視力を矯正するために特許文献１に挙げるような医療用眼鏡が提案されている。特許文献１の医療用眼鏡は複視では複視の原因となる側の目を、弱視では正常な側の目を光を散乱させて像がぼけるように微細な凹凸の粗面で曇らせたレンズで覆い、もう一方のレンズを通常の透明なレンズとしたものである。このような医療用眼鏡を使用することで複視の消失又は弱視の視力回復が望める。
【先行技術文献】
【特許文献】
【０００３】
【特許文献１】特開平８−８２７７３号公報
【発明の概要】
【発明が解決しようとする課題】
【０００４】
上記のような医療用眼鏡では一方のレンズを曇らせる場合においては従来では基本的に全体に均一な曇り度合いに設定されていた。そのため、図６に示すようにレンズの至るところにおいて正対した位置から透過した際の像の見え方（視感透過率）についてはレンズ全体でほぼ均一化されている。しかし、瞳孔位置を基準にした視感透過率を考えた場合、このように度合いに設定されたレンズが必ずしもすべての視線方向で同じ視感透過率となるわけではない。図７に示すように瞳孔位置を基準としてレンズに正対する方向とレンズを斜めに見る方向とではレンズを斜めに見たほうが視感透過率が下がる傾向にある。
これは斜め方向の光は凹凸面に対して角度を持って入射するため、正対方向の光に比べて散乱されやすく瞳孔に至らない光があること、また、斜め方向の方がレンズから瞳孔に至るまでの距離（頂間距離）が長いために散乱量が斜め方向の方が多くなること、あるいは、斜め方向の方が光がレンズ内を透過する距離が長いため、レンズ内で減衰する量が多くなること等の理由からである。
そのため、従来では実際に斜め方向を見た際と正面方向を見た際の見た目の視感透過率が異なってしまうためこのような医療用眼鏡を使用する際に視線移動に伴って見え方に違和感を感じたり、目に負担を与えることとなり疲れやすくなっていた。
本発明は、このような従来の技術に存在する問題点に着目してなされたものである。その目的は、曇化させたレンズで片方の目を覆う際にその曇化させた側のレンズを通して目視することによる違和感及び疲労を軽減することのできる複視又は弱視患者のための医療用眼鏡を提供することである。
【課題を解決するための手段】
【０００５】
上記課題を解決するための請求項１の発明では、左右一対のレンズのいずれか一方のレンズに対して曇化処理を施すとともに、当該一方のレンズの中央寄り部分の曇化率をその周囲部分よりも高くすることで瞳孔位置を基準とした当該一方のレンズの中央寄り部分とその周囲部分との間における視感透過度の均質化を図るようにしたことをその要旨とする。
また、請求項２の発明では請求項１の発明の構成に加え、前記レンズの中央寄り部分とその周囲部分との境界領域は曇化率の変化が連続的に推移することをその要旨とする。
また、請求項３の発明では請求項１又は２の発明の構成に加え、前記レンズの周囲部分はレンズの中央寄り部分から離間するほど曇化率が低下することをその要旨とする。
また、請求項４の発明では請求項１〜４のいずれかの発明の構成に加え、前記一方のレンズに対する曇化処理は前記レンズの表裏少なくともいずれか一方の面への粗面処理であることをその要旨とする。
また、請求項５の発明では請求項４の発明の構成に加え、前記粗面処理を行った前記一方のレンズの表裏少なくともいずれか一方の面に対してコート層を形成したことをその要旨とする。
また、請求項６の発明では請求項１〜５のいずれかの発明の構成に加え、前記左右一対のレンズは着色されていることをその要旨とする。
また、請求項７の発明では請求項１〜６のいずれかの発明の構成に加え、前記左右一対のレンズの物体側を向いた表面にはミラーコート層が形成されていることをその要旨とする。
【０００６】
上記のような構成の複視又は弱視患者のための医療用眼鏡であれば、複視又は弱視のために左右のレンズのいずれか一方を曇化させたレンズについてレンズの中央寄り部分についてその周囲部分よりも曇化率を高くしたため、瞳孔位置を基準とした場合に正面視と斜方視の実際の視感透過度に大きな差がなくなりレンズの中央寄り部分とその周辺部分との間の視感透過度の均質化が図られることとなる。
レンズの曇化はレンズの表裏面の少なくとも一方をブラスト処理によって微細な凹凸面を形成するようにしてもよく、レンズの表裏面の少なくとも一方に微細な凹凸面を形成するための成形型を使用して成形してもよく、光を散乱させる微粒子を樹脂に分散させてもいずれの手段を使用してもよい。
また、レンズの中央寄り部分とは正面を向いた場合の瞳孔の中心位置の周囲（概ね上下に５〜１０ｍｍ、左右に１０〜３０ｍｍ程度）のある程度の領域であってその周囲とは明確な区画があるわけではない。そのため、レンズの中央寄り部分とその周囲部分との境界領域の曇化率の変化は不連続的に推移するのではなく、徐々に変化させるようにすることが望ましい。また、レンズの周囲部分は均一な曇化率に設計しても、レンズの中央寄り部分から離間するほど曇化率が低下するように設計してもよい。
また、レンズの曇化をブラスト処理や成形型を使用して粗面処理を行った場合にはそのような粗面化した面に対してコート層を形成することが好ましい。
【０００７】
また、左右一対のレンズは着色されていることが好ましい。これによって他者から見られた場合にレンズが曇化している不自然さが認知されにくくなり、目に入る外光が制限されるため目に与える負担が軽減されることとなる。
また、左右一対のレンズの物体側を向いた表面にはミラーコート層が形成されていることが好ましい。これによって他者から見られた場合にレンズが曇化している不自然さが認知されにくくなる。
【発明の効果】
【０００８】
上記各請求項の発明では、複視又は弱視患者がその治療のために左右のレンズのいずれか一方を曇化させたレンズを使用する際に、その曇化させたレンズについて正面視と斜方視をする際の視感透過度の均質化が図られることとなり、このような医療用眼鏡を使用する際の違和感や疲労が軽減されることとなる。
【図面の簡単な説明】
【０００９】
【図１】本発明の実施の形態の医療用眼鏡の正面図。
【図２】図１のＡ−Ａ線での断面におけるレンズの構造を説明する説明図。
【図３】第１のレンズにおける光学中心からの距離と算術平均粗面粗さ（Ｒａ）の特性を説明するグラフ。
【図４】第１のレンズと従来のレンズとの光学中心からの距離と視感透過率の関係を比較して示すグラフ。
【図５】他の実施の形態での第１のレンズにおける光学中心からの距離と算術平均粗面粗さ（Ｒａ）の特性を説明するグラフ。
【図６】均一に曇化させたレンズに対する視感透過率の測定の仕方を説明する説明図。
【図７】均一に曇化させたレンズを実際に目視する際の瞳孔位置とその視線方向を説明する説明図。
【発明を実施するための形態】
【００１０】
以下、本発明の医療用眼鏡の本実施の形態について図面に従って説明をする。
図１に示すように、医療用眼鏡１１ではレンズフレーム１２に２枚の第１及び第２のレンズ１３，１４が取り付けられている。本実施の形態のレンズは最大横巾５０ｍｍ、縦巾３０ｍｍの逆台形形状とされている。レンズフレーム１２の両側にはテンプル１５が折り畳み可能に取り付けられている。図２に示すように、両レンズ１３，１４の表面にはレンズ側から順にハードコート層１６、ミラーコート層１７が形成されている。両レンズ１３，１４の裏面にはレンズ側から順にハードコート層１６、マルチコート（反射防止膜）層１８が形成されている。本実施の形態ではミラーコート層１７の反射率が２０％に設定されている。両レンズ１３，１４は茶色に着色されたプラスチックレンズであって、本実施の形態では６５％の吸収率に設定されている。
第１のレンズ１３の裏面にはブラスト処理によって微細な凹凸が形成されている。ハードコート層１６はこの微細な凹凸の上層に成膜されている。図１に示すように第１のレンズ１３は光学中心Ｏを中心とした半径５ｍｍの円の範囲を領域Ａとし、その周囲を領域Ｂとする。領域Ａは領域Ｂよりも曇化率が高く設定されている。ここでは曇化率、つまりどのくらい白濁しているかはブラスト処理において得られる算術平均粗面粗さ（Ｒａ）をパラメータとした。算術平均粗面粗さ（Ｒａ）の数値が大きくなると白濁度合いが大きくなるため、これをもって曇化率の高低を示すものとした。
図３に示すように本実施の形態では第１のレンズ１３の中央寄りの領域Ａの算術平均粗面粗さ（Ｒａ）を０．６μmに設定した。一方領域Ｂについては領域Ａとの境界から２ｍｍ（中心からは５〜７ｍｍ）の距離までを境界領域として変化が連続的となるように徐々に算術平均粗面粗さ（Ｒａ）を小さく設定しており、それよりも外側領域について算術平均粗面粗さ（Ｒａ）を０．５μmに設定した。尚、図１では領域Ａと領域Ｂの境界が明瞭にわかるような図示であるが、実際は境界領域によって領域Ａと領域Ｂの境界は不明瞭である。
図４はこのような医療用眼鏡１１の第１のレンズ１３と従来の均一な算術平均粗面粗さ（Ｒａ）の医療用眼鏡のレンズとの中心付近から周辺に視線を移動させた場合の視感透過率の変化を比較して示すグラフである。従来のレンズでは視感透過率が周辺において下がってしまっているが、本実施の形態で周辺の視感透過率が中心付近と比較してそれほど低下せずに推移するようになっている。
【００１１】
このような医療用眼鏡１１であれば、次のような効果が奏される。
（１）医療用眼鏡１１として複視又は弱視患者用に使用する際に曇化処理を施した側のレンズ（第１のレンズ１３）を上記のように曇化率の高い領域Ａとその周囲の相対的に曇化率の低い領域Ｂに区画したため、実際に使用した際の視感透過率において中心付近と周辺との差が大きくならず両者における見え方の均質化を図ることができるため、結果として使用する者の違和感や疲労度を軽減することができる。また、領域Ａからは境界領域を介して徐々に曇化率が変化するため、使用者が視線を移動させる際に急激な明るさの変化を感じることがないため、自然な感覚で使用することができる。
（２）両レンズ１３，１４を茶色に着色しているため、目に入る外光量を軽減するとともに、片方のレンズ１３が曇った医療用眼鏡１１であることが第三者から認知されにくくなっている。
（３）両レンズ１３，１４の表面にミラーコート層１７を形成したため、（２）の効果に加えて更に片方のレンズ１３が曇っていることが第三者から認知されにくくなる。
（４）両レンズ１３，１４の裏面にマルチコート層１８を形成したため、ミラーコート層１７を設けた際に発生する後方の景色がミラーコート層１７に反射してしまういわゆる景色の写り込みが防止でき、ミラーコート層１７を設けた際の見えやすさが向上することとなる。
【００１２】
尚、この発明は、次のように変更して具体化することも可能である。
・領域Ａと領域Ｂの算術平均粗面粗さ（Ｒａ）の設定は上記に限定されるものではない。例えば、図５に示すように、領域Ｂにおいて外方ほど算術平均粗面粗さ（Ｒａ）が小さくなるような設定とすることも可能である。
・曇化率のパラメータとして算術平均粗面粗さ（Ｒａ）以外に十点平均粗さ（Ｒｚ）を使用することや、ヘイズメータによるヘイズ値を使用することも可能である。
・レンズの素材、レンズ形状、算術平均粗面粗さ（Ｒａ）、レンズの色や濃度（吸収率）、ミラーの反射率の設定等は上記は一例であって、適宜変更可能である。
・上記のような着色されたプラスチックレンズを使用した第１のレンズ１３について領域Ａと領域Ｂに区画せず、ほぼ均一な算術平均粗面粗さ（Ｒａ）に設定するようにしてもよい。つまり、より好ましくは上記実施の形態のように領域Ａと領域Ｂに区画して曇化率を変更するものであるが、曇化率を変更しないような着色されたレンズの医療用眼鏡１１として実現することも可能である。
・着色されたプラスチックレンズを使用する場合においてミラーコート層１７を形成させないように実現することも可能である。
・レンズへの着色においては茶色以外の色や、他の吸収率とすることは自由である。
その他本発明の趣旨を逸脱しない態様で実施することは自由である。
【符号の説明】
【００１３】
１１…医療用眼鏡、１３…一方のレンズとしての第１のレンズ。
【図１】
0005632776.tif 000002
【図２】
0005632776.tif 000003
【図３】
0005632776.tif 000004
【図４】
0005632776.tif 000005
【図５】
0005632776.tif 000006
【図６】
0005632776.tif 000007
【図７】
0005632776.tif 000008